(57)【要約】【課題】従来のキャリーケースにおける２本のキャリーバー又は平板状のキャリーバーの代わりとなる持ち手を採用し、キャリーケース内の収納スペースを広く使えるようにする。【解決手段】キャリーケース１において、複数のキャスタ１４と、キャリーケース１の一側面の上辺に沿って設けられたシャフト２を回動軸として回動可能に構成された持ち手４であって、折り畳まれた位置と立ち上げられた位置との間で変化するように回動可能な持ち手４と、を備え、キャリーケース１の使用者がシャフト２を掴むことができるようにキャリーケース１の一部分が窪んでおり、持ち手４は、折り畳まれた位置においてはキャリーケース１の一側面に沿った位置に延在する一方で、立ち上げられた位置においては、折り畳まれた位置から回動されて概ね垂直方向に延在することを特徴とする、回動式持ち手２を備えるキャリーケース１を提供する。【選択図】  図７
0003218314.tif 000002
【実用新案登録請求の範囲】
【請求項１】
キャリーケースにおいて、
複数のキャスタと、
該キャリーケースの一側面の上辺に沿って設けられたシャフトを回動軸として、折り畳まれた位置と立ち上げられた位置との間で変化するように回動可能に構成された持ち手と、
を備え、
該キャリーケースの使用者が上記シャフトを握ることができるように該キャリーケースの一部分が窪んでおり、
上記持ち手は、上記折り畳まれた位置においては該キャリーケースの上記一側面に沿って延在する一方で、上記立ち上げられた位置においては、上記折り畳まれた位置から回動されて概ね垂直方向に延在することを特徴とする、回動式持ち手を備えるキャリーケース。
【請求項２】
該キャリーケースが身側シェル及び蓋側シェルを備え、
上記一側面が、上記身側シェルにおける一側面であることを特徴とする、請求項１に記載の回動式持ち手を備えるキャリーケース。
【請求項３】
上記一側面に突出部が形成されており、
上記持ち手の少なくとも一部分が上記突出部と係合ないし嵌合し得る形状に形成されていることを特徴とする、請求項１又は請求項２に記載の回動式持ち手を備えるキャリーケース。
【請求項４】
上記シャフトが設けられている該キャリーケースの側面の上辺と対向する下辺に沿って、該キャリーケースに固定されたグリップハンドルが設けられていることを特徴とする、請求項１〜３のいずれかに記載の回動式持ち手を備えるキャリーケース。
【請求項５】
上記持ち手は、上記折り畳まれた位置又は上記立ち上げられた位置となる方向へ付勢されていることを特徴とする、請求項１〜４のいずれかに記載の回動式持ち手を備えるキャリーケース。
【考案の詳細な説明】
【技術分野】
【０００１】
本考案は、キャリーケースに関し、詳しくは、従来のキャリーケースの概ね垂直方向に伸縮するキャリーバーの代わりとなる回動式の持ち手を備えるキャリーケースに関する。
【背景技術】
【０００２】
従来のキャリーケースにおいては、キャリーケース内に、概ね垂直方向に伸縮する２本のキャリーバー支持桿を格納するためのスペースを必要とするだけでなく、２本のキャリーバー支持桿の間が有効に利用できずにデッドスペース（使われない空間）となっていた。
【０００３】
特許文献１に記載の発明は、持ち手を平板状の形状に形成することにより、キャリーケース内の収納スペースを有効に使えるようにしている。しかし、特許文献１に記載の発明のように平板状のキャリーバーを備えるキャリーケースであっても、キャリーケース内の収納スペースを多少は侵食してしまう。
【０００４】
また、キャリーケースの使用者は、乗り物に乗車した際に、キャリーケースを持ち上げて座席上方の棚の上にキャリーケースを乗せたり、棚から降ろしたりすることがあるが、従来のキャリーケースにおける伸縮するキャリーバーを掴んでキャリーケースを安定よく持ち上げることは難しかった。
【先行技術文献】
【特許文献】
【０００５】
【特許文献１】特開２０１５−１３６３９８号公報
【特許文献２】実用新案登録第３１７７６７５号公報
【特許文献３】実用新案登録第３２０５１１６号公報
【考案の概要】
【考案が解決しようとする課題】
【０００６】
従来のキャリーケースにおける２本のキャリーバー又は平板状のキャリーバーの代わりとなる持ち手を採用することにより、キャリーケース内の収納スペースを広く使えるようにする。また、キャリーケースの使用者が安定よくキャリーケースを持ち上げることができるように、シェル等に堅牢なハンドルが固定されているキャリーケースを提供する。
【課題を解決するための手段】
【０００７】
本考案の一実施例においては、キャリーケースにおいて、複数のキャスタと、キャリーケースの一側面の上辺に沿って設けられたシャフトを回動軸として、折り畳まれた位置と立ち上げられた位置との間で変化するように回動可能に構成された持ち手と、を備え、キャリーケースの使用者がシャフトを握ることができるようにキャリーケースの一部分が窪んでおり、持ち手は、折り畳まれた位置においてはキャリーケースの一側面に沿って延在する一方で、立ち上げられた位置においては、折り畳まれた位置から所定の角度だけ回動されて概ね垂直方向に延在することを特徴とする、回動式持ち手を備えるキャリーケースを提供する。ただし、本明細書及び実用新案登録請求の範囲において、一側面とは、キャリーケースの６つの面のうちの上面と底面以外の４つの面（正面及び背面を含む）のいずれかの面のこととする。
【０００８】
一実施例においては、上記所定の角度が約１８０度である。他の実施例においては、上記所定の角度が１８０度以外の角度である場合もある。
【０００９】
さらなる実施例においては、キャリーケースが身側シェル及び蓋側シェルを備え、一側面が、身側シェルにおける一側面であることを特徴とする。
【００１０】
さらなる実施例においては、一側面に突出部が形成されており、持ち手の少なくとも一部分が突出部と係合ないし嵌合し得る形状に形成されていることを特徴とする。
【００１１】
他の実施例においては、シャフトが設けられている該キャリーケースの側面の上辺と対向する下辺に沿って、キャリーケースに固定されたグリップハンドルが設けられている。
【００１２】
さらに他の実施例においては、持ち手は、折り畳まれた位置又は立ち上げられた位置となる方向へ付勢されている。
【図面の簡単な説明】
【００１３】
【図１】本考案のキャリーケースの正面図。
【図２】本考案のキャリーケースの右側面図。
【図３】本考案のキャリーケースの左側面図。
【図４】本考案のキャリーケースの底面図。
【図５】本考案のキャリーケースの平面図。
【図６】本考案のキャリーケースの背面図。
【図７】持ち手が立ち上げられているときのキャリーケースを示す図。
【図８】本考案のキャリーケースの斜視図。
【考案を実施するための形態】
【００１４】
本考案のキャリーケース１について、添付の図を参照しつつ以下に説明する。
【００１５】
図１〜５は、本考案の一実施例におけるキャリーケース１の外観を示す。本考案のキャリーケースは、シェルを有しない型式のキャリーケースである場合もあれば、身側シェルと蓋側シェルを有する型式のキャリーケースである場合もある。
【００１６】
図１は、一実施例におけるキャリーケース１の正面図である。図２は、一実施例におけるキャリーケース１の右側面図である。図３は、一実施例におけるキャリーケース１の左側面図である。図４は、一実施例におけるキャリーケース１の底面図である。図５は、一実施例におけるキャリーケース１の平面図である。
【００１７】
図６は、一実施例におけるキャリーケース１の背面図である。本考案のキャリーケース１は、背面の上辺に沿って設けられたシャフト２を回動軸として回動可能に構成された持ち手４を備える。また、キャリーケース１の背面に突出部１０が形成されており、持ち手４の少なくとも一部分が、キャリーケース１の背面に形成されている突出部１０と係合ないし嵌合し得る形状に形成されている。これにより、持ち手４が折り畳まれたときに、持ち手４の一部分が突出部１０と係合ないし嵌合する。突出部１０と係合ないし嵌合することにより、折り畳まれた持ち手４が不意に動いてしまうことがない。
【００１８】
他の実施例においては、キャリーケースの一側面に形成されている突出部を利用しない別の方法で、持ち手４が折り畳まれた位置に保持され得る。例えば、適切なマグネットの磁力を利用して、持ち手４が折り畳まれた位置に保持される場合がある。
【００１９】
一実施例においては、シャフト２が設けられているキャリーケース１の背面の上辺と対向する下辺に沿って、グリップハンドル２２が設けられている。キャリーケース１の使用者は、電車などに乗った際に、キャリーケースを持ち上げて座席上方の棚の上にキャリーケース１を乗せたり、棚から降ろしたりすることがあるが、自分の両手を使ってシャフト２とグリップハンドル２２を握ることにより、キャリーケース１を安定よく持ち上げることができる。
【００２０】
持ち手４の長さ寸法は、キャリーケース１の大きさなどに応じて異なり得る。例えば、比較的高いキャリーケース１に設けられる持ち手４については寸法が短くてもよいが、比較的低いキャリーケース１に設けられる持ち手４については寸法を長くする必要がある。
【００２１】
図７は、持ち手２が概ね垂直に立ち上げられているときのキャリーケース１を示す。一実施例においては、持ち手２が折り畳まれた位置又は立ち上げられた位置となる方向へ付勢されるように、ねじりバネや板バネ等の付勢手段がキャリーケース１に使用されている。キャリーケース１の用途などに応じて、強いバネの弾性力で付勢されている場合もあれば、弱いバネの弾性力で付勢されている場合もある。
【００２２】
図８は、本考案のキャリーケース１の斜視図である。図８に明瞭に示されているように、持ち手４が折り畳まれてキャリーケース１の一側面に沿って延在しているときにも、キャリーケース１の使用者がシャフト２を握ってキャリーケース１を持ち上げることができるように、キャリーケース１の一部分が窪んでいる。すなわち、シャフト２の裏側の位置に、人の手を差し入れることができる空間がとられている。
【００２３】
以上のように、本考案のキャリーケース１は、回動式の持ち手４を備えることにより、キャリーケース１内の収納スペースを広く使うことができるという利点があり、さらには、回動軸として機能するシャフト２がグリップハンドルとして機能するという利点もある。
【符号の説明】
【００２４】
１…キャリーケース
２…シャフト
４…持ち手
６…蓋側シェル
８…身側シェル
１０…突出部
１２…嵌合溝
１４…キャスタ
１６…底足
１８…サイドハンドル
２０…ロック
２２…グリップハンドル
【図１】
0003218314.tif 000003
【図２】
0003218314.tif 000004
【図３】
0003218314.tif 000005
【図４】
0003218314.tif 000006
【図５】
0003218314.tif 000007
【図６】
0003218314.tif 000008
【図７】
0003218314.tif 000009
【図８】
0003218314.tif 000010